(57)【要約】【課題】記録装置において、記録媒体の搬送速度の変動によって基準信号と次の基準信号の間隔が短くなっても、記録抜けなどの画質低下を防止することを可能とする。【解決手段】記録ヘッドの複数の記録素子を駆動して記録媒体にドットを形成し記録を行う記録装置は、記録媒体を搬送する搬送部と、複数の記録素子を複数のブロックに分割し、ブロックごとに時間をおいて順次駆動する時分割駆動部と、記搬送部が搬送する記録媒体の搬送に応じて順次出力される基準信号を取得する取得部と、記録媒体の搬送に伴って取得した、基準信号と次の基準信号との時間間隔が、時分割駆動部によって複数の記録素子を駆動する時間より短いとき、時間間隔が分割駆動部によって複数の記録素子を駆動する時間より短くない場合よりも、次の基準信号の後に駆動する記録素子のブロック数を減少させる駆動制御部と、を具える。【選択図】図９
2018065272.tif 000002
【特許請求の範囲】
【請求項１】
複数の記録素子が配列された記録ヘッドを用いて記録を行う記録装置であって、
記録媒体を搬送する搬送手段と、
前記複数の記録素子を複数のブロックに分割し、ブロックごとに時間をおいて順次駆動する時分割駆動手段と、
前記搬送手段による前記記録媒体の搬送に応じて順次出力される基準信号を取得する取得手段と、
前記取得手段によって取得された、基準信号と次の基準信号との時間間隔が、前記時分割駆動手段によって前記複数の記録素子を駆動する時間より短い場合、前記時間間隔が前記分割駆動手段によって前記複数の記録素子を駆動する時間より長い場合よりも、前記次の基準信号の後に駆動する記録素子のブロック数を減少させる駆動制御手段と、
を具えたことを特徴とする記録装置。
【請求項２】
前記時間間隔が前記分割駆動手段によって前記複数の記録素子を駆動する時間より長い場合に、前記時分割駆動手段によって駆動する記録素子のブロック数をＮとし、前記時間間隔が前記分割駆動手段によって前記複数の記録素子を駆動する時間よりｋ個のブロックを駆動する時間だけ短い場合、前記駆動制御手段は、（Ｎ−ｋ）個のブロックに減少させることを特徴とする請求項１に記載の記録装置。
【請求項３】
前記駆動制御手段は、記録ヘッドの駆動を制御する記録制御部を有し、該記録制御部に、ブロックを駆動するためのタイミング信号とともに、ブロック数の減少の有無を示す情報、および減少後のブロック数を示す情報を通知することを特徴とする請求項１または２に記載の記録装置。
【請求項４】
前記駆動制御手段は、減少させた分のブロックの記録素子が、他のブロックの記録素子と同時に駆動されるよう制御することを特徴とする請求項１ないし３のいずれか１項に記載の記録装置。
【請求項５】
前記駆動制御手段により同時に駆動されるブロックは、２つであることを特徴とする請求項４に記載の記録装置。
【請求項６】
前記駆動制御手段は、複数のブロックの中から、駆動の累計が最も少ない前記他のブロックを選択することを特徴とする請求項４または５に記載の記録装置。
【請求項７】
記録ヘッドの複数の記録素子を駆動して記録媒体にドットを形成し記録を行うための前記記録ヘッドの駆動方法であって、
前記複数の記録素子を複数のブロックに分割し、ブロックごとに時間をおいて順次駆動する時分割駆動工程と、
記録媒体の搬送に応じて順次出力される基準信号を取得する取得工程と、
記録媒体の搬送に伴って前記取得した、基準信号と次の基準信号との時間間隔が、前記時分割駆動工程で前記複数の記録素子を駆動する時間より短いとき、前記時間間隔が前記分割駆動工程で前記複数の記録素子を駆動する時間より短くない場合よりも、前記次の基準信号の後に駆動する記録素子のブロック数を減少させる駆動制御工程と、
を有したことを特徴とする記録ヘッドの駆動方法。
【発明の詳細な説明】
【技術分野】
【０００１】
本発明は、記録装置および記録ヘッドの駆動方法に関し、詳しくは、記録媒体の搬送速度の変動に応じてドットの記録タイミングを調整する技術に関するものである。
【背景技術】
【０００２】
特許文献１には、記録媒体の搬送速度が変動した場合に、記録媒体を搬送する搬送ローラが１回転する間に記録するラスタ（ライン）の数を調整することが記載されている。これにより、記録媒体に形成される１ライン分のドットを搬送速度の変動に係らず所定の間隔で記録することを可能としている。具体的には、ノズル列を形成する複数のノズルを時分割駆動する構成において、１ライン（１ラスタ）分の記録を行うための時分割の駆動タイミング信号である単位のパルス列を、記録媒体の搬送速度に応じた数だけ対応させたテーブルを予め求めておく。そして、搬送速度を検知し、その速度によって上記テーブルを参照して搬送速度に対応した数のパルス列で、上記搬送ローラが１回転する間に記録ヘッドを駆動するようにしている。
【先行技術文献】
【特許文献】
【０００３】
【特許文献１】特開２０１２−１７９９０３号公報
【発明の概要】
【発明が解決しようとする課題】
【０００４】
しかしながら、特許文献１による駆動タイミングの制御では、エンコーダのエッジ信号を基準信号として上記１ラスタ分のパルス列の夫々を出力するよう制御しており、このパルス列の出力タイミングは、テーブルにおいて定められたものである。すなわち、特許文献１では、基準信号と次の基準信号の間に、前の基準信号を基準として１ラスタ分のパルス列が配列され、この配列と数が搬送速度ごとに異なる。このため、基準信号に基づいてパルス列の出力を開始したが、搬送速度の何らかの変動によって次の基準信号が駆動回路に早めに入力した場合は、１ラスタ分のパルス列の途中、つまり１ラインを形成する時分割駆動の駆動ブロックの総ての駆動が終わる前に基準信号が入力することになる。これに対して、特許文献１による駆動タイミング制御は、これに対応することができない。この場合に、例えば、駆動回路の構成が、エラー処理として、次のパルス列による駆動を行わないようにするものでは、次の１ライン分の記録が抜けてしまう。
【０００５】
本発明は、上述した問題を解決するものであり、記録媒体の搬送速度の変動によって基準信号と次の基準信号の間隔が短くなっても、記録抜けなどの画質低下を防止できる記録装置および記録ヘッドの駆動方法を提供することを目的とする。
【課題を解決するための手段】
【０００６】
上記目的を達成するために本発明は、記録ヘッドの複数の記録素子を駆動して記録媒体にドットを形成し記録を行う記録装置であって、記録媒体を搬送する搬送手段と、前記複数の記録素子を複数のブロックに分割し、ブロックごとに時間をおいて順次駆動する時分割駆動手段と、前記搬送手段が搬送する記録媒体の搬送に応じて順次出力される基準信号を取得する取得手段と、記録媒体の搬送に伴って前記取得した、基準信号と次の基準信号との時間間隔が、前記時分割駆動手段によって前記複数の記録素子を駆動する時間より短いとき、前記時間間隔が前記分割駆動手段によって前記複数の記録素子を駆動する時間より短くない場合よりも、前記次の基準信号の後に駆動する記録素子のブロック数を減少させる駆動制御手段と、を具えたことを特徴とする。
【発明の効果】
【０００７】
以上の構成によれば、記録装置において、記録媒体の搬送速度の変動によって基準信号と次の基準信号の間隔が短くなっても、記録抜けなどの画質低下を防止することが可能となる。
【図面の簡単な説明】
【０００８】
【図１】（ａ）および（ｂ）は、本発明のインクジェット記録装置の一実施形態に係るインクジェットプリンタの構成を示す図である。
【図２】実施形態のプリンタの、主に制御構成を示すブロック図である。
【図３】本発明の一実施形態に係る記録タイミング生成部の詳細な構成を示すブロック図である。
【図４】図３に示す吐出タイミング生成部で生成される記録タイミングの一例を説明するタイミングチャートである。
【図５】実施形態に係る８分割の時分割駆動を説明する図である。
【図６】比較例に係る時分割駆動を説明する図である。
【図７】本発明の一実施形態に係る時分割駆動の一例を説明する図である。
【図８】本発明の一実施形態に係る時分割駆動の他の例を説明する図である。
【図９】図８に示す時分割駆動において図３に示す吐出タイミング生成部で生成される各信号のタイミングチャートである。
【図１０】実施形態に係る記録制御部の詳細な構成を説明するブロック図である。
【図１１】実施形態のブロック駆動順生成回路において行われる、ブロック駆動順序決定処理を示すフローチャートである。
【図１２】（ａ）および（ｂ）は、図１０に示す記録データ転送回路から出力送信される、ヘッド駆動データ、ラッチ信号、およびクロック信号のタイミングチャートである。
【図１３】実施形態に係る記録ヘッドの駆動回路を示す回路図である。
【図１４】他の実施形態に係るインクジェット記録装置のプリント部の構成を示す図である。
【発明を実施するための形態】
【０００９】
以下、本発明の実施形態について図面を参照して詳細に説明する。
【００１０】
図１（ａ）および（ｂ）は、本発明のインクジェット記録装置の一実施形態に係るインクジェットプリンタの構成を示す図であり、図１（ａ）は記録装置の主要部であるプリント部を示し、図１（ｂ）は、特に、記録ヘッドと記録媒体との関係を示している。本実施形態のプリンタは、転写体上に記録した画像を、連続して供給される記録紙に転写することにより、記録紙に画像形成を行うものであり、片面プリント及び両面プリントの両方に対応したラインプリンタである。このようなプリンタは、例えば、印刷工場等における大量の枚数をプリントする分野に適したものである。
【００１１】
プリント部１０１は、不図示の駆動機構によって回転するドラム状の転写体（第１の記録媒体）１０３が設けられる。この転写体１０３の回転方向に対して、異なる色のインクを吐出する７つの記録ヘッド１０２ａ、１０２ｂ、１０２ｃ、１０２ｄ、１０２ｅ、１０２ｆ、１０２ｇが配置され、これら記録ヘッドから回転する転写体１０３の面に順次インクを吐出することにより転写体１０３上に画像が形成される。記録ヘッド１０２ａ、１０２ｂ、１０２ｃ、１０２ｄ、１０２ｅ、１０２ｆ、１０２ｇはそれぞれ、使用が想定される転写体１０３の最大幅をカバーする範囲にインクジェット方式の複数のノズルを配列した、いわゆるライン型記録ヘッドである。それぞれの記録ヘッドには、２列のノズル列が配されており、これら２列のノズル列は互いにノズル配列ピッチの１／２だけずれて配置されている。本実施形態では、７つの記録ヘッドから、Ｃ（シアン）、Ｍ（マゼンタ）、Ｙ（イエロー）、Ｋ（ブラック）、Ｌｃ（ライトシアン）、Ｌｍ（ライトマゼンタ）、Ｇｙ（グレー）のインクをそれぞれ吐出する。これらの記録ヘッドは、ノズルに対応してヒータ（記録素子）を備え、ヒータを駆動して発生する熱によって対応するノズルからインクを吐出する。なお、本発明の適用において、インク色数や記録ヘッドの数は７つには限定はされないことはもちろんである。
【００１２】
搬送ローラ１０６は、回転体１０３と接するように設けられ、不図示の搬送機構によって、回転体１０３とは逆方向に回転する。これにより、不図示の搬送機構によって搬送されて来た記録紙（第２の記録媒体）１０５に転写体１０３の面に形成された画像を転写することができる。
【００１３】
エンコーダ１０８は転写体１０３の軸上に接続され、一方、エンコーダセンサ１０９（図２）がエンコーダ１０８を検知可能な位置に設けられる。これにより、エンコーダ１０８は転写体１０３の回転とともに回転し、エンコーダセンサがこれを検知することにより、転写体１０３の回転に係るエンコーダ信号を出力する。そして、このエンコーダ信号は、図２以降で後述されるように、記録ヘッドを駆動する際の時分割駆動のタイミング信号の基準となる。なお、エンコーダは転写体の軸上に取り付ける形態に限定されない。また、エンコーダが転写体とともに１周するごとに１回、エンコーダの原点を知らせる信号を出力するための基準位置センサ（不図示）が配置される。
【００１４】
図２は、本実施形態のプリンタの制御構成を示すブロック図であり、主に、記録データの生成および記録ヘッドの駆動制御を行うＡＳＩＣの構成を示している。本実施形態のＡＳＩＣ２１３において、汎用メモリ２０３を構成する受信バッファ２０４は、ホストＰＣ２０１から受信Ｉ／Ｆ２０２を介して受信した画像データを格納する。画像処理部２０５は、受信バッファ２０４から画像データを読み出し、種々の処理を行い、最終的に量子化処理を行い、記録データを生成する。この記録データは、汎用メモリ２０３の記録データバッファ２０６に格納される。
【００１５】
記録タイミング生成部２０８は、図３、図４にて後述されるように、エンコーダセンサ１０９から入力するエンコーダ信号に基づいて記録（吐出）タイミング信号を出力する。記録制御部２０９は、記録タイミング生成部２０８によって生成された記録タイミング信号に基づくタイミングで、インクの吐出または非吐出を示す記録データを記録ヘッド１０２に出力する。この記録制御部２０９はインク色ごとに設けられる。これらの記録制御部２０９に対応するそれぞれの記録ヘッド１０２は、送信される記録データに基づいて記録媒体にインクを吐出して画像を記録する。
【００１６】
受信バッファ２０４、記録データバッファ２０６は、本システムのＤＲＡＭ等のメインメモリの一部である。しかし、必ずしもＤＲＡＭである必要は無く、ＲＡＭの定義の範疇に属するメモリであれば、ＳＲＡＭ等のＤＲＡＭ以外のメモリであってもよい。ＣＰＵ２１２は、ＡＳＩＣ２１３のシステム全体を制御する。
【００１７】
図３は、本発明の一実施形態に係る記録タイミング生成部２０８の詳細な構成を示すブロック図である。この構成において、基準信号生成部３０１は、エンコーダセンサ１０９からのエンコーダ信号を基に、記録（吐出）タイミングを生成するための基準となる基準信号を順次出力する。具体的には、図４、図９にて後述されるような吐出タイミングの生成が行われる。吐出タイミング生成部３０２は、基準信号生成部３０１からの基準信号を受けて、連続する基準信号間に、吐出タイミング信号の情報（補正後のパルス情報）に基づいた吐出タイミングの信号を生成する。吐出タイミング情報は、補正データ格納メモリ３０５において、エンコーダ基準位置センサ３０４（原点）を基準にした位置（アドレス）に格納される。メモリアドレス制御部３０３は、エンコーダ基準位置センサ３０４からの信号に基づいてアドレス情報を生成する。吐出タイミング生成部３０２は、このアドレス情報によって、補正データ格納メモリ３０５内の吐出タイミング信号情報を読み出して、位置に応じた吐出タイミングを生成する。吐出タイミング生成部３０２によって出力されるブロック順切り替え信号およびブロック数の情報の生成については、後述する。
【００１８】
図４は、図３に示す吐出タイミング生成部で生成される吐出タイミングの一例を説明するタイミングチャートであり、時分割駆動における８ブロック分の吐出タイミングを示している。図４に示す例は、記録媒体の搬送速度の変動がない、通常のときの吐出タイミングを示したものである。本実施形態の吐出タイミングの生成では、図３にて上述したように、エンコーダセンサ１０９からのエンコーダ信号に基づいて基準信号が生成される。そして、この基準信号と次の基準信号との間（１カラム分の時間間隔）に、図１（ｂ）に示した主走査方向に配列するノズルを８分割して形成される８つの駆動ブロックそれぞれの吐出タイミングの信号が出力される。なお、この吐出タイミングは、補正データ格納メモリ３０５内の吐出タイミング信号情報が示す、補正された位置に応じて生成されることは上述したとおりである。なお、本実施形態は、８分割の時分割駆動に本発明を適用した例を示しているが、本発明の適用がこの分割数に限定されないことは本明細書の説明からも明らかである。
【００１９】
図５は、本実施形態に係る８分割の時分割駆動を説明する図であり、記録紙の搬送速度の変動がないときの通常の時分割駆動を示している。本実施形態では、ノズル列の複数のノズルの配列において位置が連続する８つのノズルは、吐出（駆動）タイミングが異なる８つのブロック１〜８に分けられる。これにより、位置が連続する８つのノズルごとに時分割駆動のグループＧｒ１、Ｇｒ２、・・・が形成され、このグループ間で同じ順序の駆動が行われる。なお、図１（ｂ）に示したインク色ごとの、相互に半ピッチずれた２列のノズル列は、図５において１列で示されている。すなわち、上記２列のノズル列の間の距離分吐出（駆動）タイミングがずれることはもちろんであるが、以下では、１列のノズル列の時分割駆動として説明する。各カラムは、それぞれのグループにおいて、ブロック１→ブロック２→ブロック３→ブロック４→ブロック５→ブロック６→ブロック７→ブロック８のノズルについて、所定の時間をおいて順次駆動が行われインクが吐出される。これにより、カラムごとに図５において丸で示すドットが形成されてラインが記録される。なお、図５に示す例は、記録データが、総ての画素にドットを形成する、いわゆるベタ画像の例であり、記録データに応じて、画素によってはドットが形成されない場合があることはもちろんである。
【００２０】
図６は、比較例に係る時分割駆動を説明する図であり、８分割の時分割駆動において、記録媒体の搬送速度に変動があった場合を示している。詳しくは、図１（ａ）において、例えば、記録紙１０５が、その搬送に伴って転写体１０３と搬送ローラ１０６との間に突入する状態が生じ、それによって転写体１０３の速度変動（速くなる）が生じたときの時分割駆動を示している。
【００２１】
図６に示すように、カラム２において、記録紙１０５の突入に起因して転写体１０３が規定の速度より速度が速くなり、それによって、カラム２の時間間隔が所定の間隔より短くなる。すなわち、次のカラム３の基準信号が所定より早く到来し、そのタイミングで、未だカラム２の８ブロックの駆動（吐出）が行われている状態となる。このような状態が生じると、比較例に係る駆動回路は、誤動作を原因とするエラー処理として、カラム３の駆動を停止する。その結果、図６に示すように、カラム３のドット形成ができず、１ライン分（１カラム分）の記録抜けが生じる。
【００２２】
図７は、本発明の一実施形態に係る時分割駆動の一例を説明する図である。図７に示す例は、カラム２の記録中に１ブロック分早く次の基準信号が来た場合の駆動制御を示している。次の基準信号が所定時間より早く来て、基準信号とノズルからの吐出（駆動）の８ブロック目の吐出タイミングとのオーバーラップが生じると、本実施形態の駆動制御は、次のカラム３の時分割駆動に係るブロック数を、通常の８ブロックから７ブロックに切り替える。すなわち、駆動するブロック数を８ブロックから７ブロックに減少させる。また、カラム３の４ブロック目に通常吐出する予定のブロック４のノズルに加えて、上記オーバーラップした８ブロック目のノズルからも同時に吐出を行うよう駆動する。
【００２３】
図８は、本発明の一実施形態に係る時分割駆動の他の例を説明する図であり、カラム２の記録中に２ブロック分早く次の基準信号が来た場合の駆動制御を示している。この例では、基準信号と７ブロック目の吐出タイミングとのオーバーラップが生じたカラム２の次のカラム３のブロック数を通常の８ブロックから６ブロックに切り替える。すなわち、駆動するブロック数を８ブロックから６ブロックに減少させる。そして、カラム３の３ブロック目に通常吐出する予定のブロック３のノズルに加えて、オーバーラップが生じた７ブロック目に吐出する予定のブロック７のノズルからの吐出を３ブロック目に同時に行うよう駆動する。また、カラム３の６ブロック目に通常吐出する予定のブロック６のノズルに加え、オーバーラップが生じた後の８ブロック目に吐出する予定のブロック８のノズルから、６ブロック目に同時に吐出するよう駆動する。
【００２４】
上述した図７、図８の駆動制御を一般化すると、時分割駆動で駆動する記録素子のブロック数をＮとし、ｋ個目のブロックが基準信号とオーバーラップする場合、駆動するブロック数を、Ｎ個から（Ｎ−ｋ）個に減少させる制御を行うことになる。
【００２５】
図９は、図８に示す時分割駆動において記録タイミング生成部２０８で生成される各信号のタイミングチャートである。図９に示すように、カラム２を時分割駆動する吐出タイミング信号の７ブロック目で、カラム３の基準信号とのオーバーラップ（重複）が生じる。このオーバーラップは、吐出タイミング生成部３０２（図３）が、カラムごとに出力する吐出タイミング信号の数をカウントアップするとともに、基準信号が入力したときのカウントアップの数によって検知する。図８、図９に示す例では、６つ目の吐出タイミング信号を出力した後、７つ目の吐出タイミング信号を出力する前に基準信号の入力を検出すると、７ブロック目で上記のオーバーラップが生じたことを検出する。そして、吐出タイミング生成部３０２（図３）は、カラム３の駆動では、上記検出したオーバーラップに係る７ブロック目に基づいて、６ブロック分の「吐出タイミング」信号を出力する（図３）。吐出タイミング生成部３０２は、これとともに、ブロック数の切り替えがあることを示す「ブロック切替信号」と切替後の「ブロック数」である「６」を出力する（図３）。記録制御部２０９（図３）は、吐出タイミング生成部３０２から入力する上記「吐出タイミング」信号、「ブロック切替信号」および「ブロック数」に基づいて、記録ヘッドを駆動し時分割駆動を行う。すなわち、吐出タイミング生成部は、記録制御部に対して、ブロックを駆動するためのタイミング信号とともに、ブロック数の減少の有無を示す情報、および減少後のブロック数を示す情報を通知することになる。
【００２６】
図１０は、本実施形態に係る記録制御部２０９の詳細な構成を説明するブロック図である。記録制御部２０９のブロック駆動順生成回路１００１は、記録タイミング生成部２０８の吐出タイミング生成部３０２から出力される上記３つの信号が示すオーバーラップ情報に基づいて、図１１にて後述する同時駆動するブロックとその駆動順序の決定を行う。また、記録データ転送回路１００２は、上記決定した駆動順序の情報などに基づいて駆動データおよび駆動ブロック情報を記録ヘッド１０２へシリアル転送する。
【００２７】
図１１は、本実施形態のブロック駆動順生成回路１００１において行われる、ブロック駆動順序決定処理を示すフローチャートである。ステップＳ１０１で、記録吐出タイミング制御部２０８の吐出タイミング生成部３０２からブロック数の切り替え信号の有り無を判断する。無しの場合は、予め定まっているブロック駆動順序を変更せず本処理を終了する。ブロック数切り替え信号が有る場合は、ステップＳ１０２で、ブロック１〜ブロック８それぞれの累計の記録データ（吐出データ）の数を記録バッファから取得する。そして、ステップＳ１０３で、同時駆動する場合に累計データが最も少ない組み合わせを検索して駆動順序を決定する。これにより、複数のブロックを同時駆動する際の電力の増大を抑制することが可能となる。図７に示す例では、ブロック４とブロック８のノズルが同時駆動され、図８に示す例では、ブロック３とブロック７のノズル、およびブロック６とブロック8のノズルが、それぞれ同時駆動されることを示している。
【００２８】
図１２（ａ）および（ｂ）は、図１０に示す記録データ転送回路１００２から出力送信される、ヘッド駆動データ、ラッチ信号、およびクロック信号のタイミングチャートであり、これらの信号送信の２つの形態をそれぞれ示している。
【００２９】
吐出のタイミングとなるラッチ信号と次のラッチ信号との間に、次の吐出のための吐出データと駆動するブロック番号からなる駆動データが、クロックＨＤ＿ＣＬＫでシリアル転送される。１つのラッチ区間（ラッチとラッチの間）に最大２つのブロックを駆動することを考慮して、ラッチ信号間に２種類のブロック番号と、吐出データを送信することを可能としている。図１２（ａ）に示す送信形態は、ブロック番号の情報を各吐出データに付加する形態であり、図１２（ｂ）に示す送信形態は、ブロック番号の情報をまとめて１つの吐出データに付加する形態である。なお、図１２（ａ）に示す送信形態では、上述した記録媒体の速度変動が無く、駆動するブロック数に変化が無い場合は、２種類のブロック番号のうち、１つ目のデータのみ有効なブロック番号を送信し、２つ目のデータにはｎｕｌｌデータを送信するなどしてもよい。
【００３０】
図１３は、本実施形態に係る記録ヘッドの駆動回路を示す回路図である。本実施形態の記録ヘッドは、インク色ごとに５１２個のノズルに対応した５１２個のヒータ（記録素子）４０１を備える。これら５１２個のヒータ４０１は、８つのブロックに分割され（１ブロックは６４個のヒータ４０１で構成される）、ブロックごとに時分割で駆動される。すなわち、同じブロックの６４個のヒータは同時に駆動される。図１３では図示および説明の簡略化ため、各ブロックに割り当てているヒータの番号をＳＥＧ０，ＳＥＧ１の様に記載しているが、各ブロックに割り当てるノズルおよびヒータは任意に設定できる（例えば、６４ノズルごとにとびとびのノズル６４個のグループをブロック１に割り当てる等）。なお、本実施形態は、８ブロック分割の構成について説明しているが、分割数に関しては記録ヘッドの構成などに応じて設定することができる。ヘッド駆動データ４０２は、ＨＤ＿ＣＬＫ信号４０３によって記録ヘッド１０２へシリアル転送される。吐出データを含む駆動データ４０２は、ＨＤ＿ＣＬＫ信号４０３で６４ビットのシフトレジスタ４０４、４０５及び４０９に入力した後、６４ビットラッチ４０６及び４０７及びブロック情報デコーダ４１０に、ラッチ信号４０８の立ち上がりでラッチされる。ブロック情報デコーダ４１０では受信したブロック情報を基に、８ｂｉｔのブロックイネーブル信号へ展開し、指定ブロックのヒータ４０１が選択される。デコーダ４１０で展開されたブロックイネーブル信号とデータラッチ１、データラッチ２のヒータ記録データ信号の両方で指定されたヒータ４０１のセグメントのみが駆動され、インクを吐出して記録が行われる。
【００３１】
本実施形態の駆動回路は、図７、図８、図１２などで上述したように、ラッチ信号と次のラッチ信号の間に、最大２つのブロックのヒータを駆動可能なものである。そのための構成として、図１３に示すように、シフトレジスタ１、データラッチ１およびそれに対応するアンド回路等と、シフトレジスタ２、データラッチ２およびそれに対応するアンド回路等、を備える。
【００３２】
（他の実施形態）
本発明は、上述した構成のプリンタの形態に限定されない。記録紙に直接描画する形式のプリンタなどにおいて、搬送ローラから記録紙が抜ける時に発生する速度変動などにも本発明を適用することができる。図１４は、他の実施形態に係るインクジェット記録装置のプリント部の構成を示す図である。記録ヘッド５０１において、記録媒体５０２の搬送方向に対して異なるインク色について複数のノズル列が配置されている。それぞれのノズル列から順次インクを吐出することにより記録媒体５０２に画像を記録する。記録ヘッド５０１は、使用が想定される記録媒体５０２の最大幅をカバーする範囲でインクジェット方式のノズル列が設けられたライン型記録ヘッドである。複数のノズル列は、複数色、例えばＣ（シアン）、Ｍ（マゼンタ）、Ｙ（イエロー）、Ｋ（ブラック）のインクを吐出する。なお、色数は４つには限定はされない。
【００３３】
搬送ローラ５０３とピンチローラ５０５は記録紙５０２を搬送する搬送機構を構成し、ピンチローラ５０５が記録媒体５０２を搬送ローラ５０３に対して押圧するとともに、搬送ローラが開園することによって記録媒体５０２を搬送する。エンコーダ５０４が搬送ローラ５０３の回転軸上に取り付けられ、このエンコーダの回転をエンコーダセンサによって検出することにより、搬送ローラの回転位置、速度を検知する。この検知したエンコーダ信号に基づいて、上述した基準信号を生成する。なお、エンコーダスケールは軸上にとりつけると限定はしない。また、図には無いがエンコーダ１周に１回、エンコーダの原点を知らせる信号を出力する、基準位置センサを配置する。
【００３４】
（さらに他の実施形態）
上述した実施形態は、インクジェット方式の記録ヘッドにおける記録素子を駆動する場合の時分割駆動に関するものであるが、本発明の適用はこの形態に限られない。いずれの方式であっても、記録素子を駆動してドットを形成し画像などの記録を行う記録装置に適用することができる。
【符号の説明】
【００３５】
１０２    記録ヘッド
１０３    転写体（記録媒体）
１０９    エンコーダセンサ
２０８    記録タイミング生成部
２０９    記録制御部
３０１    基準信号生成部
３０２    吐出タイミング生成部
１００１    ブロック駆動順生成回路
【図１】
2018065272.tif 000003
【図２】
2018065272.tif 000004
【図３】
2018065272.tif 000005
【図４】
2018065272.tif 000006
【図５】
2018065272.tif 000007
【図６】
2018065272.tif 000008
【図７】
2018065272.tif 000009
【図８】
2018065272.tif 000010
【図９】
2018065272.tif 000011
【図１０】
2018065272.tif 000012
【図１１】
2018065272.tif 000013
【図１２】
2018065272.tif 000014
【図１３】
2018065272.tif 000015
【図１４】
2018065272.tif 000016